(57)【要約】【課題】ヒートポンプ式の車両用冷暖房装置において、運転状態に応じて熱交換をより適正に行えるようにする。【解決手段】車両用冷暖房装置１は、冷媒を圧縮して吐出する圧縮機２と、圧縮機２から吐出された冷媒を放熱させる凝縮器３と、凝縮器３から導出された冷媒を蒸発させる第１の蒸発器７と、第１の蒸発器７と並列に設けられ、凝縮器３から導出された冷媒を蒸発させる第２の蒸発器５と、凝縮器３と第１の蒸発器７との間に設けられ、凝縮器３の出口側の過冷却度が設定値となるよう冷媒の流量を調整する過冷却度制御弁４２と、凝縮器３と第２の蒸発器５との間に設けられ、その開度が外部から電気的に調整される流量制御弁３２と、を備える。【選択図】図１
2012051522.tif 000002
【特許請求の範囲】
【請求項１】
冷媒を圧縮して吐出する圧縮機と、
前記圧縮機から吐出された冷媒を放熱させる凝縮器と、
前記凝縮器から導出された冷媒を蒸発させる第１の蒸発器と、
前記第１の蒸発器と並列に設けられ、前記凝縮器から導出された冷媒を蒸発させる第２の蒸発器と、
前記凝縮器と前記第１の蒸発器との間に設けられ、前記凝縮器の出口側の過冷却度が設定値となるよう冷媒の流量を調整する過冷却度制御弁と、
前記凝縮器と前記第２の蒸発器との間に設けられ、その開度が外部から電気的に調整される流量制御弁と、
を備えることを特徴とする車両用冷暖房装置。
【請求項２】
車室内に配置され、前記第１の蒸発器として冷媒を蒸発させる室内蒸発器と、
車室外に配置され、冷房運転時に冷媒を放熱させる室外凝縮器として機能する一方、暖房運転時に前記第２の蒸発器として冷媒を蒸発させる室外蒸発器として機能する室外熱交換器と、
前記室外熱交換器とは別に前記凝縮器として冷媒を放熱させる補助凝縮器と、
を備えることを特徴とする請求項１に記載の車両用冷暖房装置。
【請求項３】
前記室外熱交換器が室外蒸発器として機能するときに前記圧縮機に対して並列となる第１冷媒循環通路と第２冷媒循環通路が形成され、前記第１冷媒循環通路に前記室内蒸発器が設けられ、前記第２冷媒循環通路に前記室外熱交換器が設けられることを特徴とする請求項２に記載の車両用冷暖房装置。
【請求項４】
前記室外熱交換器が室外凝縮器として機能するときに、前記圧縮機に対して前記第１冷媒循環通路と並列となる第３冷媒循環通路が形成され、前記第１冷媒循環通路に前記補助凝縮器が設けられ、前記第３冷媒循環通路に前記室外熱交換器が設けられ、
前記第１冷媒循環通路における前記補助凝縮器と前記室内蒸発器との間に、前記補助凝縮器の出口側の過冷却度が第１の設定値となるよう冷媒の流量を調整する第１の過冷却度制御弁が設けられ、
前記第３冷媒循環通路における前記室外熱交換器と前記室内蒸発器との間に、前記室外熱交換器の出口側の過冷却度が第２の設定値となるよう冷媒の流量を調整する第２の過冷却度制御弁が設けられていることを特徴とする請求項３に記載の車両用冷暖房装置。
【請求項５】
前記第１の過冷却度制御弁は、閉弁時に冷媒の漏洩を防止する機能を有し、
前記第２の過冷却度制御弁は、閉弁時に所定流量の冷媒の漏洩を許容する機能を有することを特徴とする請求項４に記載の車両用冷暖房装置。
【発明の詳細な説明】
【技術分野】
【０００１】
本発明は、車室内を除湿暖房可能なヒートポンプ式の車両用冷暖房装置に関する。
【背景技術】
【０００２】
近年、内燃機関を搭載した車両においてはエンジンの燃焼効率が向上したこともあり、熱源として利用してきた冷却水が暖房に必要な温度にまで上昇し難くなっている。一方、内燃機関と電動機を併用したハイブリッド車両においては内燃機関の稼働率が低いため、そのような冷却水の利用がさらに難しい。電気自動車に至っては内燃機関による熱源そのものがない。このため、冷房のみならず暖房にも冷媒を用いたサイクル運転を行い、車室内を除湿暖房可能なヒートポンプ式の車両用冷暖房装置が提案されている（例えば特許文献１参照）。
【０００３】
このような車両用冷暖房装置は、圧縮機、室外熱交換器、蒸発器、室内熱交換器等を含む冷凍サイクルを有し、暖房運転時と冷房運転時とで室外熱交換器の機能が切り替えられる。暖房運転時においては室外熱交換器が蒸発器として機能する。その際、冷凍サイクルを冷媒が循環する過程で室内熱交換器が放熱し、その熱により車室内の空気が加熱される。一方、冷房運転時においては室外熱交換器が凝縮器として機能する。その際、室外熱交換器にて凝縮された冷媒が蒸発器にて蒸発し、その蒸発潜熱により車室内の空気が冷却される。その際、除湿も行われる。
【先行技術文献】
【特許文献】
【０００４】
【特許文献１】特開平９−２４０２６６号公報
【発明の概要】
【発明が解決しようとする課題】
【０００５】
ところで、このような車両用冷暖房装置において高い空調性能を維持するためには、車両がおかれる外部環境等に応じて凝縮器や蒸発器による熱交換が適切に行われることが必要となる。特に上述したヒートポンプ式の車両用冷暖房装置においては、室外熱交換器が運転状態に応じて室外凝縮器または室外蒸発器として機能し、また、内部熱交換器が室内凝縮器として機能するため、複数の凝縮器と複数の蒸発器が機能することになる。このため、各凝縮器の凝縮量や各蒸発器の蒸発量を適正に制御する必要がある。
【０００６】
本発明の目的の一つは、ヒートポンプ式の車両用冷暖房装置において、運転状態に応じて熱交換をより適正に行えるようにすることにある。
【課題を解決するための手段】
【０００７】
上記課題を解決するために、本発明のある態様の車両用冷暖房装置は、冷媒を圧縮して吐出する圧縮機と、圧縮機から吐出された冷媒を放熱させる凝縮器と、凝縮器から導出された冷媒を蒸発させる第１の蒸発器と、第１の蒸発器と並列に設けられ、凝縮器から導出された冷媒を蒸発させる第２の蒸発器と、凝縮器と第１の蒸発器との間に設けられ、凝縮器の出口側の過冷却度が設定値となるよう冷媒の流量を調整する過冷却度制御弁と、凝縮器と第２の蒸発器との間に設けられ、その開度が外部から電気的に調整される流量制御弁と、を備える。
【０００８】
この態様によると、凝縮器から導出される冷媒は、一方で過冷却度制御弁を介して第１の蒸発器に供給され、他方で流量制御弁を介して第２の蒸発器に供給される。そして、外部から設定した流量制御弁の開度に応じて第１の蒸発器および第２の蒸発器へ供給される冷媒の流量の割合が調整される。これにより、各蒸発器に適正量の冷媒を供給することが可能になる。また、過冷却度制御弁によって凝縮器の出口側の過冷却度が確保されるため、下流側の第１の蒸発器に液冷媒を確実に供給することができ、除湿性能を良好に維持できるようになる。
【発明の効果】
【０００９】
本発明によれば、ヒートポンプ式の車両用冷暖房装置において、運転状態に応じて熱交換をより適正に行ことができる。
【図面の簡単な説明】
【００１０】
【図１】第１実施形態に係る車両用冷暖房装置の概略構成を表すシステム構成図である。
【図２】車両用冷暖房装置の動作を表す説明図である。
【図３】流量制御弁の流量制御による作用効果を表す説明図である。
【図４】第２実施形態に係る車両用冷暖房装置の概略構成を表すシステム構成図である。
【図５】車両用冷暖房装置の動作を表す説明図である。
【図６】第３実施形態に係る車両用冷暖房装置の概略構成を表すシステム構成図である。
【図７】切替弁の具体的構成を表す断面図である。
【図８】車両用冷暖房装置の動作を表す説明図である。
【図９】変形例に係る切替弁の具体的構成を表す断面図である。
【発明を実施するための形態】
【００１１】
以下、本発明の実施形態を、図面を参照して詳細に説明する。  
［第１実施形態］
まず、本発明の第１実施形態について説明する。図１は、第１実施形態に係る車両用冷暖房装置の概略構成を表すシステム構成図である。本実施形態は、本発明の車両用冷暖房装置を電気自動車の冷暖房装置として具体化したものである。
【００１２】
車両用冷暖房装置１は、圧縮機２、室内凝縮器３、室外熱交換器５、蒸発器７およびアキュムレータ８を配管にて接続した冷凍サイクル（冷媒循環回路）を備える。車両用冷暖房装置１は、冷媒としての代替フロン（ＨＦＣ−１３４ａ）が冷凍サイクル内を状態変化しながら循環する過程で、その冷媒の熱を利用して車室内の空調を行うヒートポンプ式の冷暖房装置として構成されている。冷媒循環回路には、冷暖房を適切に制御するための各種制御弁が配設されている。
【００１３】
車両用冷暖房装置１は、冷房運転時と暖房運転時とで複数の冷媒循環通路を切り替えるように運転される。この冷凍サイクルは、室内凝縮器３と室外熱交換器５とが凝縮器として直列に動作可能に構成され、また、蒸発器７と室外熱交換器５とが蒸発器として並列に動作可能に構成されている。すなわち、暖房運転時（除湿時）に冷媒が循環する第１冷媒循環通路、暖房運転時および除霜運転時に冷媒が循環する第２冷媒循環通路、冷房運転時（除湿時）に冷媒が循環する第３冷媒循環通路が形成される。
【００１４】
第１冷媒循環通路は、圧縮機２→室内凝縮器３→蒸発器７→アキュムレータ８→圧縮機２のように冷媒が循環する通路である。第２冷媒循環通路は、圧縮機２→室内凝縮器３→室外熱交換器５→アキュムレータ８→圧縮機２のように冷媒が循環する通路である。第３冷媒循環通路は、圧縮機２→室内凝縮器３→室外熱交換器５→蒸発器７→アキュムレータ８→圧縮機２のように冷媒が循環する通路である。室外熱交換器５を流れる冷媒の流れは、第２冷媒循環通路と第３冷媒循環通路とで同方向となっている。
【００１５】
具体的には、圧縮機２の吐出室は第１通路２１を介して室内凝縮器３の入口に接続され、室内凝縮器３の出口は第２通路２２を介して室外熱交換器５の入口に接続されている。室外熱交換器５の出口は第３通路２３を介して蒸発器７の入口に接続され、蒸発器７の出口は第４通路２４（戻り通路）を介してアキュムレータ８の入口に接続されている。第２通路２２と第３通路２３とはバイパス通路２５により接続され、室内凝縮器３から導出された冷媒の少なくとも一部を室外熱交換器５を迂回させて蒸発器７へ供給可能となっている。さらに、第３通路２３のバイパス通路２５との合流点よりも上流側に分岐点が設けられ、アキュムレータ８の入口につながるバイパス通路２６が設けられている。
【００１６】
第１冷媒循環通路は、第１通路２１，第２通路２２，バイパス通路２５，第３通路２３，第４通路２４を接続して構成される。第２冷媒循環通路は、第１通路２１，第２通路２２，第３通路２３，バイパス通路２６を接続して構成される。第３冷媒循環通路は、第１通路２１，第２通路２２，第３通路２３，第４通路２４を接続して構成される。そして、このような冷媒循環通路の切り替えを実現するために、第２通路２２には流量制御弁３２が設けられ、第３通路２３には過冷却度制御弁４２、差圧弁４４および逆止弁４６が設けられ、第４通路２４には過熱度制御弁４８が設けられている。また、バイパス通路２５には開閉弁５０が設けられ、バイパス通路２６には開閉弁５２および過熱度制御弁５４が設けられている。
【００１７】
車両用冷暖房装置１は、空気の熱交換が行われるダクト１０を有し、そのダクト１０における空気の流れ方向上流側から室内送風機１２、蒸発器７、室内凝縮器３が配設されている。室内凝縮器３の上流側には、エアミックスドア１４が回動自在に設けられ、室内凝縮器３を通過する風量と室内凝縮器３を迂回する風量との比率が調節される。また、室外熱交換器５に対向するように室外送風機１６が配置されている。
【００１８】
圧縮機２は、ハウジング内にモータと圧縮機構を収容する電動圧縮機として構成され、図示しないバッテリからの供給電流により駆動され、モータの回転数に応じて冷媒の吐出容量が変化する。この圧縮機２としては、レシプロ式、ロータリ式、スクロール式など、様々な形式の圧縮機を採用することができるが、電動圧縮機そのものは公知であるため、その説明については省略する。
【００１９】
室内凝縮器３は、車室内に設けられ、室外熱交換器５とは別に冷媒を放熱させる補助凝縮器として機能する。すなわち、圧縮機２から吐出された高温・高圧の冷媒が室内凝縮器３を通過する際に放熱する。エアミックスドア１４の開度に応じて振り分けられた空気は、室内凝縮器３を通過する過程でその熱交換が行われる。
【００２０】
室外熱交換器５は、車室外に配置され、冷房運転時に内部を通過する冷媒を放熱させる室外凝縮器として機能する一方、暖房運転時には内部を通過する冷媒を蒸発させる室外蒸発器として機能する。室外送風機１６は、吸い込み式の送風機であり、軸流ファンをモータにより回転駆動することにより外気を導入する。室外熱交換器５は、その外気と冷媒との間で熱交換をさせる。
【００２１】
蒸発器７は、車室内に配置され、内部を通過する冷媒を蒸発させる室内蒸発器として機能する。すなわち、膨張装置として機能する制御弁の通過により低温・低圧となった冷媒は、蒸発器７を通過する際に蒸発する。ダクト１０の上流側から導入された空気は、その蒸発潜熱によって冷却される。このとき冷却・除湿された空気は、エアミックスドア１４の開度に応じて室内凝縮器３を通過するものと、室内凝縮器３を迂回するものとに振り分けられる。室内凝縮器３を通過する空気は、その通過過程で加熱される。室内凝縮器３を通過した空気と迂回した空気とが室内凝縮器３の下流側にて混合されて目標の温度に調整され、図示しない吹出口から車内に供給される。例えば、ベント吹出口、フット吹出口、デフ吹出口等から車室内所定場所に向かって吹き出される。
【００２２】
アキュムレータ８は、蒸発器から送出された冷媒を気液分離して溜めておく装置であり、液相部と気相部とを有する。このため、仮に上流側から想定以上の液冷媒が導出されたとしても、その液冷媒を液相部に溜めおくことができ、気相部の冷媒を圧縮機２に導出することができる。その結果、圧縮機２の圧縮動作に支障をきたすこともない。一方、本実施形態では、その液相部の冷媒の一部を圧縮機２に供給できるようにされており、圧縮機２に必要量の潤滑オイルを戻すことができるようになっている。
【００２３】
流量制御弁３２は、第２通路２２におけるバイパス通路２５との分岐点よりも下流側に設けられている。流量制御弁３２は、その開度がアクチュエータへの供給電流値に応じた設定開度に自律的に調整される比例弁として構成されている。本実施形態では、流量制御弁３２の弁部を駆動するアクチュエータとしてステッピングモータが採用されるが、ソレノイドであってもよい。流量制御弁３２は、基本的には全開状態、大口径制御状態、小口径制御状態、閉弁状態のいずれかの状態に制御される。なお、大口径制御状態は全開状態には到らないが開度が大きい状態であり、小口径制御状態は閉弁状態には到らないが開度が小さい状態である。
【００２４】
流量制御弁３２は、小口径制御により膨張装置としても機能する。暖房運転時においては、後述のように開閉弁５０が開弁状態とされてバイパス通路２５が開放される一方、流量制御弁３２の開度（つまり第２通路２２の開度）が調整される。このため、流量制御弁３２の開度に応じて室外熱交換器５へ供給される冷媒の流量が調整される。すなわち、流量制御弁３２は、室内凝縮器３から室外熱交換器５へ向かう冷媒流量と、室外熱交換器５を迂回して蒸発器７に供給される冷媒流量（バイパス通路２５を流れる冷媒流量）との割合を調整する流量調整弁として機能する。
【００２５】
過冷却度制御弁４２は、室外熱交換器５から導出された冷媒や、バイパス通路２５を介して供給された冷媒を絞り膨張させて蒸発器７側に導出する「膨張装置」として機能する。過冷却度制御弁４２は、冷房運転時において室外熱交換器５の出口側の過冷却度が予め設定された一定の過冷却度（設定値ＳＣ）に近づくよう冷媒の流れを制御する。また、暖房運転時において室内凝縮器３の出口側の過冷却度が予め設定された一定の過冷却度（設定値ＳＣ）に近づくよう冷媒の流れを制御する。本実施形態では、過冷却度制御弁４２として、その上流側（冷房運転時においては室外熱交換器５の出口側であり、暖房運転時（除湿制御を行う特定暖房運転時）において室内凝縮器３の出口側）の冷媒の温度と圧力を感知して弁部を駆動する感温部を有する機械式の制御弁が用いられる。
【００２６】
過冷却度制御弁４２は、冷房運転時において室外熱交換器５の出口側の過冷却度が設定値ＳＣよりも大きくなると開弁方向に動作し、室外熱交換器５を流れる冷媒の流量を増加させる。このように冷媒の流量が増加すると、室外熱交換器５における冷媒の単位流量あたりの凝縮能力が小さくなるため、その過冷却度は小さくなる方向に変化する。逆に、室外熱交換器５の出口側の過冷却度が設定値ＳＣよりも小さくなると、過冷却度制御弁４２は閉弁方向に動作し、室外熱交換器５を流れる冷媒の流量を減少させる。このように冷媒の流量が減少すると、室外熱交換器５における冷媒の単位流量あたりの凝縮能力が大きくなるため、その過冷却度は大きくなる方向に変化する。過冷却度制御弁４２は、その入口（室外熱交換器５の出口側）の過冷却度が設定値ＳＣとなるよう自律的に動作する。
【００２７】
過冷却度制御弁４２は、また、特定暖房運転時においてバイパス通路２５が開放されると、室内凝縮器３の出口側の過冷却度が設定値ＳＣよりも大きくなると開弁方向に動作し、室内凝縮器３を流れる冷媒の流量を増加させる。このように冷媒の流量が増加すると、室内凝縮器３における冷媒の単位流量あたりの凝縮能力が小さくなるため、その過冷却度は小さくなる方向に変化する。逆に、室内凝縮器３の出口側の過冷却度が設定値ＳＣよりも小さくなると、過冷却度制御弁４２は閉弁方向に動作し、室内凝縮器３を流れる冷媒の流量を減少させる。このように冷媒の流量が減少すると、室内凝縮器３における冷媒の単位流量あたりの凝縮能力が大きくなるため、その過冷却度は大きくなる方向に変化する。過冷却度制御弁４２は、その入口（室内凝縮器３の出口側）の過冷却度が設定値ＳＣとなるよう自律的に動作する。
【００２８】
なお、図示を省略するが、過冷却度制御弁４２は、上流側から冷媒を導入する入口ポートと、下流側へ冷媒を導出する出口ポートと、その入口ポートと出口ポートとを連通する弁孔とが設けられたボディと、弁孔に接離して弁開度を調整する弁体と、入口ポートから導入された冷媒の温度と圧力を感知し、室外熱交換器５の出口側の過冷却度が設定値となるよう弁体を開閉駆動する感温部とを備えるものでもよい。
【００２９】
差圧弁４４は、過冷却度制御弁４２の下流側に設けられている。差圧弁４４は、第３通路２３において過冷却度制御弁４２側への冷媒の逆流を防止する機械式の弁として構成され、その前後差圧が設定された開弁差圧以上となったときに開弁する。
【００３０】
逆止弁４６は、第３通路２３におけるバイパス通路２６との分岐点とバイパス通路２５との合流点との間に設けられている。逆止弁４６は、バイパス通路２５を通過した冷媒が室外熱交換器５側へ逆流することを防止する機械式の弁として構成されている。
【００３１】
過熱度制御弁４８は、その出口側に過熱度（スーパーヒート）が発生している場合、その過熱度が予め設定された一定の過熱度（設定過熱度ＳＨ）に近づくよう冷媒の流れを制御する。本実施形態では、過熱度制御弁４８として、その出口側（過熱度制御弁４８の下流側）の冷媒の温度と圧力を感知して弁部を駆動する感温部を有する機械式の制御弁が用いられる。過熱度制御弁４８は、感知した過熱度が設定過熱度ＳＨよりも大きければ弁開度を絞り、蒸発器７の蒸発圧力を上昇させることにより、蒸発器７を通過する冷媒と外部の空気との熱交換量を小さくし、それにより過熱度を小さくして設定過熱度ＳＨに近づける。逆に、感知された過熱度が設定過熱度ＳＨよりも小さければ、過熱度制御弁４８は、弁開度を大きくし、蒸発器７の蒸発圧力を低下させることにより、蒸発器７を通過する冷媒と外部の空気との熱交換量を大きくし、それにより過熱度を大きくして設定過熱度ＳＨに近づける。このように、過熱度制御弁４８は、その出口側の過熱度が設定過熱度ＳＨに近づくよう自律的に動作する。
【００３２】
なお、図示を省略するが、過熱度制御弁４８は、例えば上流側から冷媒を導入する入口ポートと、下流側へ冷媒を導出する出口ポートと、その入口ポートと出口ポートとを連通する弁孔とが設けられたボディと、弁孔に接離して弁開度を調整する弁体を含む弁駆動体と、出口ポート側（弁部の下流側）の内部通路を流れる冷媒の温度と圧力を感知し、過熱度制御弁４８の出口側（弁部の下流側）の冷媒の過熱度が設定過熱度となるよう弁体を開閉駆動する感温部とを備えるものでよい。
【００３３】
開閉弁５０は、バイパス通路２５を開閉する弁部と、その弁部を駆動するソレノイドとを備える二方向電磁弁からなる。開閉弁５０の開弁によりバイパス通路２５を介した蒸発器７への冷媒の流れが許容される。すなわち、開閉弁５０が開弁されることにより、室内凝縮器３から導出された冷媒の少なくとも一部が室外熱交換器５を迂回するようにして蒸発器７へ供給されるようになる。室外熱交換器５を経由する冷媒流量と室外熱交換器５を迂回する冷媒流量との割合は流量制御弁３２により制御される。本実施形態では、開閉弁５０として、ソレノイドへの通電有無によって弁部を開閉させる開閉弁（オン／オフ弁）が用いられる。なお、開閉弁５０の弁部を駆動するアクチュエータはソレノイドでなくてもよく、ステッピングモータ等の電動機であってもよい。
【００３４】
また、本実施形態では、開閉弁５０をバイパス通路２５の中間部に設けているが、例えば第２通路２２におけるバイパス通路２５への分岐点に三方向切替弁として配設してもよい。あるいは、その分岐点に流量制御弁３２と開閉弁５０の機能を併せ持つ三方向比例弁を設け、流量制御弁３２および開閉弁５０を省略してもよい。すなわち、分岐点の室外熱交換器５側の通路の開度を制御する第１比例弁と、分岐点のバイパス通路２５側の通路の開度を制御する第２比例弁とを含み、アクチュエータの駆動量に応じて冷媒の流量を振り分ける振分弁として機能するものでよい。その場合、三方向比例弁は、弁部を駆動するアクチュエータとしてソレノイドを備えるものであってもよいし、ステッピングモータ等の電動機を備えるものでもよい。
【００３５】
開閉弁５２は、バイパス通路２６における過熱度制御弁５４の上流側に設けられている。開閉弁５２は、バイパス通路２６を開閉する弁部と、その弁部を駆動するソレノイドとを備える二方向電磁弁からなる。開閉弁５２の開弁によりバイパス通路２６を介したアキュムレータ８への冷媒の流れが許容される。本実施形態では、開閉弁５２として、ソレノイドへの通電有無によって弁部を開閉させる開閉弁（オン／オフ弁）が用いられる。なお、開閉弁５２の弁部を駆動するアクチュエータはソレノイドでなくてもよく、ステッピングモータ等の電動機であってもよい。また、本実施形態では、開閉弁５２をバイパス通路２６の中間部に設けているが、例えば第３通路２３におけるバイパス通路２６への分岐点に三方向切替弁として配設してもよい。
【００３６】
過熱度制御弁５４は、室外熱交換器５が室外蒸発器として機能するときにその蒸発圧力を調整する「蒸発圧力調整弁」として機能する。過熱度制御弁５４は、その出口側に過熱度（スーパーヒート）が発生している場合、その過熱度が予め設定された一定の過熱度（設定過熱度ＳＨ）に近づくよう冷媒の流れを制御する。本実施形態では、過熱度制御弁５４として、その出口側（過熱度制御弁５４の下流側）の冷媒の温度と圧力を感知して弁部を駆動する感温部を有する機械式の制御弁が用いられる。過熱度制御弁５４は、感知した過熱度が設定過熱度ＳＨよりも大きければ弁開度を絞り、室外熱交換器５の蒸発圧力を上昇させることにより、室外熱交換器５を通過する冷媒と外部の空気との熱交換量を小さくし、それにより過熱度を小さくして設定過熱度ＳＨに近づける。逆に、感知された過熱度が設定過熱度ＳＨよりも小さければ、過熱度制御弁５４は、弁開度を大きくし、室外熱交換器５の蒸発圧力を低下させることにより、室外熱交換器５を通過する冷媒と外部の空気との熱交換量を大きくし、それにより過熱度を大きくして設定過熱度ＳＨに近づける。このように、過熱度制御弁５４は、その出口側の過熱度が設定過熱度ＳＨに近づくよう自律的に動作する。なお、本実施形態では、過熱度制御弁５４の設定過熱度と過熱度制御弁４８の設定過熱度とを等しく設定しているが、両者を異なるように設定してもよい。
【００３７】
なお、図示を省略するが、過熱度制御弁５４は、例えば上流側から冷媒を導入する入口ポートと、下流側へ冷媒を導出する出口ポートと、その入口ポートと出口ポートとを連通する弁孔とが設けられたボディと、弁孔に接離して弁開度を調整する弁体を含む弁駆動体と、出口ポート側（弁部の下流側）の内部通路を流れる冷媒の温度と圧力を感知し、過熱度制御弁５４の出口側（弁部の下流側）の過熱度が設定過熱度となるよう弁体を開閉駆動する感温部とを備えるものでよい。
【００３８】
以上のように構成された車両用冷暖房装置１は、制御部１００により制御される。制御部１００は、各種演算処理を実行するＣＰＵ、各種制御プログラムを格納するＲＯＭ、データ格納やプログラム実行のためのワークエリアとして利用されるＲＡＭ、入出力インターフェース等を備える。制御部１００には、車両用冷暖房装置１に設置された図示しない各種センサ・スイッチ類からの信号が入力される。制御部１００は、車両の乗員によりセットされた室温を実現するために各アクチュエータの制御量を演算し、各アクチュエータの駆動回路に制御信号を出力する。制御部１００は、流量制御弁３２，開閉弁５０，開閉弁５２などの開閉制御のほか、圧縮機２，室内送風機１２，室外送風機１６およびエアミックスドア１４の駆動制御も実行する。
【００３９】
制御部１００は、車室内外の温度、蒸発器７の吹き出し空気温度等、各種センサにて検出された所定の外部情報に基づいて流量制御弁３２の設定開度を決定し、その開度がその設定開度となるようステッピングモータに制御パルス信号を出力する。このような制御により、図示のように、圧縮機２は、その吸入室を介して吸入圧力Ｐｓの冷媒を導入し、これを圧縮して吐出圧力Ｐｄの冷媒として吐出する。
【００４０】
次に、本実施形態の冷凍サイクルの動作について説明する。図２は、車両用冷暖房装置の動作を表す説明図である。（Ａ）は冷房運転時の状態を示し、（Ｂ）は除湿運転時の状態を示し、（Ｃ）は特定暖房運転時の状態を示し、（Ｄ）は除霜運転時の状態を示している。ここでいう「除湿運転」は、車室内の除湿をメインとして運転状態であり、「特定暖房運転」は、暖房運転において特に除湿の機能を高めた運転状態である。
【００４１】
各図の上段には冷凍サイクルの動作を説明するモリエル線図が示されている。その横軸がエンタルピーを表し、縦軸が各種圧力を表している。各図の下段には、冷凍サイクルの動作状態が示されている。図中の太線および矢印が冷媒の流れを示し、符号ａ〜ｇはモリエル線図のそれと対応している。また、図中の「×」は冷媒の流れが遮断されていることを示している。なお、同図の下段は図１に対応するが、エアミックスドア１４等の図示を省略するなど便宜上簡略表記されている。
【００４２】
図２（Ａ）に示すように、冷房運転時においては、流量制御弁３２は全開状態とされる。一方、開閉弁５０，５２はともに閉弁状態を保つ。このため、バイパス通路２５，２６が遮断され、圧縮機２から吐出冷媒は全て室外熱交換器５に導かれるようになる。このとき、室外熱交換器５は室外凝縮器として機能する。すなわち、圧縮機２から吐出された冷媒は、室内凝縮器３、流量制御弁３２、室外熱交換器５、過冷却度制御弁４２、蒸発器７、過熱度制御弁４８、アキュムレータ８を経由するように第３冷媒循環通路を循環して圧縮機２に戻る。
【００４３】
すなわち、圧縮機２から吐出された高温・高圧のガス冷媒は、室内凝縮器３および室外熱交換器５を経ることで凝縮される。そして、室外熱交換器５を経由した冷媒が過冷却度制御弁４２にて断熱膨張され、冷温・低圧の気液二相冷媒となって蒸発器７に導入される。このとき、過冷却度制御弁４２は、室外熱交換器５の出口側（ｅ点）の過冷却度が設定値ＳＣとなるように弁部の開度を自律的に調整する。蒸発器７の入口に導入された冷媒は、その蒸発器７を通過する過程で蒸発し、車室内の空気を冷却する。
【００４４】
図２（Ｂ）に示すように、除湿運転時においては、流量制御弁３２は開弁状態となり、大口径制御を実行する。このとき、流量制御弁３２には前後差圧ΔＰが発生する。その結果、室内凝縮器３の凝縮圧力（凝縮温度）が、室外熱交換器５の凝縮圧力（凝縮温度）よりも高く維持され、車室内の温度が必要以上に低下することが抑制される。具体的には、ドライバの足元の温度をある程度高く維持することができる。また、この場合も、過冷却度制御弁４２は、室外熱交換器５の出口側（ｅ点）の過冷却度が設定値ＳＣとなるように弁部の開度を自律的に調整する。
【００４５】
図２（Ｃ）に示すように、特定暖房運転時においては、流量制御弁３２は開弁状態となり、小口径制御を実行する。一方、開閉弁５０，５２が開弁される。そして、流量制御弁３２の開度が調整されることで、蒸発器７および室外熱交換器５に向かう冷媒の流量の割合が調整される。このとき、室外熱交換器５は室外蒸発器として機能する。すなわち、圧縮機２から吐出された冷媒は、一方で室内凝縮器３、流量制御弁３２、室外熱交換器５、開閉弁５２、過熱度制御弁５４、アキュムレータ８を経由するように第２冷媒循環通路を循環して圧縮機２に戻り、他方で室内凝縮器３、開閉弁５０、過冷却度制御弁４２、蒸発器７、過熱度制御弁４８、アキュムレータ８を経由するように第１冷媒循環通路を循環して圧縮機２に戻る。
【００４６】
すなわち、圧縮機２から吐出された高温・高圧のガス冷媒は、室内凝縮器３を経て凝縮される。そして、一方で流量制御弁３２にて断熱膨張された冷温・低圧の気液二相冷媒が室外熱交換器５に供給されて蒸発し、他方で過冷却度制御弁４２にて断熱膨張された冷温・低圧の気液二相冷媒が蒸発器７に供給されて蒸発する。このとき、開閉弁５０は全開状態である。室外熱交換器５および蒸発器７の両蒸発器にて蒸発される比率は、流量制御弁３２の開度により制御される。すなわち、流量制御弁３２の開度調整により室外熱交換器５へ供給される冷媒の流量が調整される。室内凝縮器３から導出された冷媒のうちバイパス通路２５へ振り分けられる冷媒の流量は、流量制御弁３２の開度に応じて変化する。一方、蒸発器７へ供給される冷媒流量は、過冷却度制御弁４２により室内凝縮器３の出口側の過冷却度が設定値ＳＣとなるように調整される。
【００４７】
この特定暖房運転においては除湿運転が良好に行われるが、その除湿制御の概要については以下のとおりである。すなわち、図２（Ｃ）に示すように、過冷却度制御弁４２により室内凝縮器３の出口における所定の過冷却度ＳＣが維持されることで（ｃ点）、室内凝縮器３における凝縮能力が適正に維持され、室外熱交換器５（室外蒸発器）および蒸発器７（室内蒸発器）のそれぞれにおいて効率の良い熱交換が行われる。このとき、アキュムレータ８によって圧縮機２の入口の冷媒の状態が常に飽和蒸気圧曲線上に保持されるため（ａ点）、蒸発器７の出口の冷媒の状態（ｇ点）は、過熱度制御弁５４の出口における冷媒の過熱度（ｈ点）とバランスするように変化する。
【００４８】
すなわち、図示のように過熱度制御弁５４の出口側にて過熱度が発生している場合、蒸発器７の出口における冷媒の湿り度（ｇ点）は、過熱度制御弁５４の出口における冷媒の過熱度（ｈ点）とバランスする。このとき、室外熱交換器５における外部からの熱吸収量は、過熱度制御弁５４の絞り量により調整される。すなわち、過熱度制御弁５４は、その出口側の過熱度が設定過熱度ＳＨよりも大きくなると、閉弁方向に動作して室外熱交換器５における蒸発圧力Ｐｏを上昇させる。その結果、室外熱交換器５の蒸発圧力Ｐｏと蒸発器７の蒸発圧力Ｐｅとの差圧Ｐoeが発生する。それにより、室外熱交換器５を通過する冷媒の温度が高くなり外気との熱交換量が少なくなるため、過熱度は小さくなる方向に変化する。逆に、その過熱度が設定過熱度ＳＨよりも小さくなると、開弁方向に動作して室外熱交換器５における蒸発圧力Ｐｏを低下させる。それにより、室外熱交換器５を通過する冷媒の温度が低くなり外気との熱交換量が多くなるため、過熱度は大きくなる方向に変化する。
【００４９】
このように、過熱度制御弁５４の出口側の過熱度が設定過熱度ＳＨとなるよう過熱度制御弁５４が自律的に動作するため、室外熱交換器５の出口側の過熱度または湿り度が過熱度制御弁５４の出口側の過熱度に応じて調整される。それにより、室外熱交換器５に潤滑オイルが滞留することを防止または抑制することができる。また、外気温によっては逆に、過熱度制御弁４８の出口側にて過熱度が発生する場合もある（図２（Ｃ）の括弧書き参照）。その場合には、室外熱交換器５の出口における湿り度（（ｅ）点）が、過熱度制御弁４８の出口側の過熱度（（ｉ）点）とバランスするようになる。すなわち、過熱度制御弁４８の出口側の過熱度が設定過熱度ＳＨとなるよう過熱度制御弁４８が自律的に動作するため、蒸発器７の出口側の過熱度または湿り度が過熱度制御弁４８の出口側の過熱度に応じて調整される。それにより、蒸発器７に潤滑オイルが滞留することを防止または抑制することができる。
【００５０】
また、車両が極寒の環境下におかれた場合などには、室外熱交換器５が凍結して空調制御の制御性を低下させてしまうことも想定される。このため、制御部１００は、外部情報に基づいて適宜除霜運転を実行する。この除霜運転において、制御部１００は、まずエアミックスドア１４を閉じて室内凝縮器３における熱交換を休止し、冷媒の温度低下を抑制する。このとき、蒸発器７にて熱交換が行われると車室内の温度が低下してしまうので、室内送風機１２の駆動も停止させる。その状態で、図２（Ｄ）に示したように開閉弁５０を閉じる一方で開閉弁５２を開弁させ、流量制御弁３２を開弁させる。なお、除霜運転時において室外熱交換器５と外部の空気との熱交換を抑制するために、室外熱交換器５に外気（風）が当たることを抑制するシャッタ等を設けてもよい。
【００５１】
このとき、流量制御弁３２は大口径制御を実行する。その結果、圧縮機２から吐出された高温・高圧のガス冷媒が、流量制御弁３２を通過して室外熱交換器５に供給され、その後、開閉弁５２、過熱度制御弁５４およびアキュムレータ８を経由して圧縮機２に戻る。このとき、室外熱交換器５の出口側の冷媒は過冷却しないため（ｅ点）、過冷却度制御弁４２は閉弁状態を維持する。このため、蒸発器７への冷媒の供給は遮断される。その結果、ホットガスが室外熱交換器５に供給され続ける状態となり、除霜を確実に実行することが可能となる。除霜運転が安定した状態においては図中実線にて示すように、室外熱交換器５から導出された冷媒は、アキュムレータ８に導入されることにより飽和蒸気線上に制御される（ｅ点）。
【００５２】
このようにして流量制御弁３２を介して高温のガス冷媒が室外熱交換器５に送られ、除霜を行うことができる。なお、開閉弁５２の下流側には過熱度制御弁５４が設けられているため、アキュムレータ８に想定以上の過熱ガスが供給されることは防止される。すなわち、アキュムレータ８内の液冷媒が不足等により過熱度制御弁５４の出口側に過熱度が発生する場合も想定されるが、その場合には図中点線にて示すように、過熱度制御弁５４がその過熱度が設定過熱度ＳＨに近づくよう冷媒の流れを制御する。このため、過熱度制御弁５４には前後差圧が発生するようになる。
【００５３】
図３は、流量制御弁の流量制御による作用効果を表す説明図である。同図には冷媒の流量（室外熱交換器５を流れる流量、蒸発器７を流れる流量、室外熱交換器５および蒸発器７を流れる総流量）、室内凝縮器３の出口側の過冷却度または湿り度が示されている。同図の横軸は、流量制御弁３２（比例弁）の開度を示している。
【００５４】
図示のように、流量制御弁３２が閉弁状態にあるときには、室内凝縮器３から導出された冷媒の全てが蒸発器７に供給される。暖房運転時に流量制御弁３２により小口径制御が行われると、流量制御弁３２の開度が増加されるにつれて室外熱交換器５に供給される冷媒流量が増加する。その際、室内凝縮器３から導出された冷媒の総流量を蒸発器７および室外熱交換器５に振り分ける割合が流量制御弁３２により調整される。蒸発器７へ冷媒が供給されている間、過冷却度制御弁４２によって室内凝縮器３の出口側の過冷却度が設定値ＳＣに維持される。
【００５５】
［第２実施形態］
次に、本発明の第２実施形態について説明する。本実施形態に係る車両用冷暖房装置は、過熱度制御弁や過冷却度制御弁の配置構成が異なるなど冷媒循環通路の構成が第１実施形態と異なるが、各制御弁の構成など共通する部分も有する。このため、第１実施形態とほぼ同様の構成部分については同一の符号を付す等して適宜その説明を省略する。図４は、第２実施形態に係る車両用冷暖房装置の概略構成を表すシステム構成図である。
【００５６】
本実施形態の車両用冷暖房装置２０１は、圧縮機２、室内凝縮器３、第１制御弁ユニット４、室外熱交換器５、第２制御弁ユニット６、蒸発器７およびアキュムレータ８を配管にて接続した冷凍サイクル（冷媒循環回路）を備える。そして、室内凝縮器３と室外熱交換器５とが凝縮器として並列に動作可能に構成され、蒸発器７と室外熱交換器５とが蒸発器として並列に動作可能に構成されている。冷房運転時（除湿時）および暖房運転時（除湿時）に冷媒が循環する第１冷媒循環通路、暖房運転時および除霜運転時に冷媒が循環する第２冷媒循環通路、冷房運転時に冷媒が循環する第３冷媒循環通路が形成される。
【００５７】
第１冷媒循環通路は、圧縮機２→室内凝縮器３→第２制御弁ユニット６→蒸発器７→第２制御弁ユニット６→アキュムレータ８→圧縮機２のように冷媒が循環する通路である。第２冷媒循環通路は、圧縮機２→室内凝縮器３→第２制御弁ユニット６→室外熱交換器５→第１制御弁ユニット４→アキュムレータ８→圧縮機２のように冷媒が循環する通路である。第３冷媒循環通路は、圧縮機２→第１制御弁ユニット４→室外熱交換器５→第２制御弁ユニット６→蒸発器７→第２制御弁ユニット６→アキュムレータ８→圧縮機２のように冷媒が循環する通路である。室外熱交換器５を流れる冷媒の流れは、第２冷媒循環通路が開放された場合と第３冷媒循環通路が開放された場合とで逆転する。つまり、室外熱交換器５における冷媒の入口と出口は、第２冷媒循環通路が開放された場合と第３冷媒循環通路が開放された場合とで切り替わる。
【００５８】
具体的には、室内凝縮器３の出口につながる第２通路２２がその下流側で分岐し、その一方である第１分岐通路２７が蒸発器７につながり、他方である第２分岐通路２８が室外熱交換器５につながっている。第３通路２３における第２分岐通路２８との接続点と第１分岐通路２７との接続点との間には、その上流側から過冷却度制御弁４２および差圧弁４４が配設されている。
【００５９】
第１冷媒循環通路は、第１通路２１，第２通路２２，第１分岐通路２７，第４通路２４を接続して構成される。第２冷媒循環通路は、第１通路２１，第２通路２２，第２分岐通路２８，第３通路２３，バイパス通路２６を接続して構成される。第３冷媒循環通路は、第１通路２１，第３通路２３，第４通路２４を接続して構成される。そして、このような冷媒循環通路の切り替えを実現するために、室内凝縮器３と室外熱交換器５との接続部に第１制御弁ユニット４が設けられ、室内凝縮器３と室外熱交換器５と蒸発器７との接続部に第２制御弁ユニット６が設けられている。
【００６０】
第１制御弁ユニット４は、共用のボディに差圧弁２５０、開閉弁５２および過熱度制御弁５４を含むように構成される。差圧弁２５０は、その前後差圧（室内凝縮器３の入口側圧力と室外熱交換器５の入口側圧力との差圧）が供給電流値に応じた設定差圧となるよう自律的に動作する定差圧弁（電磁弁）である。本実施形態では、差圧弁２５０の弁部を駆動するアクチュエータとしてソレノイドを用いるが、ステッピングモータ等の電動機を用いてもよい。差圧弁２５０は除湿運転時に駆動されて差圧制御を実行し、室内凝縮器３における凝縮圧力を室外熱交換器５における凝縮圧力よりも設定差圧分高く維持し、それにより室内凝縮器３における冷媒温度が過度に低下するのを防止する。具体的には、ドライバの足元を適度に暖められる程度の凝縮圧力（温度）が得られるようにするものである。
【００６１】
一方、第２制御弁ユニット６は、共用のボディに過冷却度制御弁４２（「第２の過冷却度制御弁」に該当する）、差圧弁４４、過熱度制御弁４８、流量制御弁３２および過冷却度制御弁２４２（「第１の過冷却度制御弁」に該当する）を含む。流量制御弁３２は第２分岐通路２８に設けられ、過冷却度制御弁２４２は第１分岐通路２７に設けられている。
【００６２】
過冷却度制御弁２４２は、室内凝縮器３から第２通路２２を介して導入された冷媒を絞り膨張させて下流側に導出する「膨張装置」としても機能する。なお、図示を省略するが、過冷却度制御弁２４２は、過冷却度制御弁４２と同様に、上流側から冷媒を導入する入口ポートと、下流側へ冷媒を導出する出口ポートと、その入口ポートと出口ポートとを連通する弁孔とが設けられたボディと、弁孔に接離して弁開度を調整する弁体と、入口ポートから導入された冷媒の温度と圧力を感知し、室内凝縮器３の出口側の過冷却度が設定値となるよう弁体を開閉駆動する感温部とを備えるものでもよい。ただし本実施例では、過冷却度制御弁２４２が閉弁時に冷媒の漏洩を防止するシール部材を有するのに対し、過冷却度制御弁４２は閉弁時に所定流量の冷媒の漏洩を許容する冷媒漏洩通路（例えば小断面のオリフィス）が形成されている点で異なっている。
【００６３】
過冷却度制御弁２４２は、室内凝縮器３の出口側の過冷却度が設定値ＳＣよりも大きくなると開弁方向に動作し、室内凝縮器３を流れる冷媒の流量を増加させる。このように冷媒の流量が増加すると、室内凝縮器３における冷媒の単位流量あたりの凝縮能力が小さくなるため、その過冷却度は小さくなる方向に変化する。逆に、室内凝縮器３の出口側の過冷却度が設定値ＳＣよりも小さくなると、過冷却度制御弁２４２は、閉弁方向に動作し、室内凝縮器３を流れる冷媒の流量を減少させる。このように冷媒の流量が減少すると、室内凝縮器３における冷媒の単位流量あたりの凝縮能力が大きくなるため、その過冷却度は大きくなる方向に変化する。このように、過冷却度制御弁２４２は、その入口（室内凝縮器３の出口側）の過冷却度が設定値ＳＣとなるよう自律的に動作する。なお、本実施形態では過冷却度制御弁２４２と過冷却度制御弁４２の過冷却度の設定値を等しくしたが、異なる設定値を設定してもよい。
【００６４】
制御部１００による制御により、図示のように、流量制御弁３２および過冷却度制御弁２４２の上流側は高圧の上流側圧力Ｐ１となり、過冷却度制御弁２４２の下流側は低圧の下流側圧力Ｐ３となる。また、流量制御弁３２の下流側で過冷却度制御弁４２の上流側は中間圧力Ｐ２となる。
【００６５】
次に、本実施形態の冷凍サイクルの動作について説明する。図５は、車両用冷暖房装置の動作を表す説明図である。（Ａ）は冷房運転時の状態を示し、（Ｂ）は除湿運転時の状態を示し、（Ｃ）は特定暖房運転時の状態を示し、（Ｄ）は除霜運転時の状態を示している。各図の上段には冷凍サイクルの動作を説明するモリエル線図が示されている。その横軸がエンタルピーを表し、縦軸が各種圧力を表している。
【００６６】
図５（Ａ）に示すように、冷房運転時においては、第１制御弁ユニット４において差圧弁２５０が開弁され、開閉弁５２が閉弁される。差圧弁２５０は差圧制御を行わず全開状態とされる。一方、第２制御弁ユニット６においては流量制御弁３２が閉弁状態とされる。開閉弁５２の閉弁によりバイパス通路２６が遮断されているため、圧縮機２から吐出冷媒は室外熱交換器５に導かれるようになる。このとき、室外熱交換器５は室外凝縮器として機能する。すなわち、圧縮機２から吐出された冷媒は、一方で室内凝縮器３、過冷却度制御弁２４２、蒸発器７、過熱度制御弁４８、アキュムレータ８を経由するように第１冷媒循環通路を循環して圧縮機２に戻り、他方で差圧弁２５０、室外熱交換器５、過冷却度制御弁４２、蒸発器７、過熱度制御弁４８、アキュムレータ８を経由するように第３冷媒循環通路を循環して圧縮機２に戻る。
【００６７】
すなわち、圧縮機２から吐出された高温・高圧のガス冷媒は、一方で室内凝縮器３を、他方で室外熱交換器５を経ることで凝縮される。そして、室内凝縮器３を経由した冷媒が過冷却度制御弁２４２にて断熱膨張され、冷温・低圧の気液二相冷媒となって蒸発器７に導入される。このとき、過冷却度制御弁２４２は、室内凝縮器３の出口側（ｃ点）の過冷却度が設定値ＳＣとなるように弁部の開度を自律的に調整する。
【００６８】
また、室外熱交換器５を経由した冷媒が過冷却度制御弁４２にて断熱膨張され、冷温・低圧の気液二相冷媒となって蒸発器７に導入される。このとき、過冷却度制御弁４２は、室外熱交換器５の出口側（ｅ点）の過冷却度が設定値ＳＣとなるように弁部の開度を自律的に調整する。蒸発器７の入口に導入された冷媒は、その蒸発器７を通過する過程で蒸発し、車室内の空気を冷却する。
【００６９】
図５（Ｂ）に示すように、除湿運転時においては、第１制御弁ユニット４において差圧弁２５０が差圧制御を実行する。このため、差圧弁２５０の前後差圧が設定差圧ΔＰとなるように制御される。その結果、室内凝縮器３の凝縮圧力（凝縮温度）が、室外熱交換器５の凝縮圧力（凝縮温度）よりも高く維持され、車室内の温度が必要以上に低下することが抑制される。この場合も、過冷却度制御弁２４２は、室内凝縮器３の出口側（ｃ点）の過冷却度が設定値ＳＣとなるように弁部の開度を自律的に調整する。また、過冷却度制御弁４２は、室外熱交換器５の出口側（ｅ点）の過冷却度が設定値ＳＣとなるように弁部の開度を自律的に調整する。なお、本実施形態では室内凝縮器３の出口側の過冷却度と室外熱交換器５の出口側の過冷却度とが同じ設定値となるようにしたが、変形例においてはこれらの設定値を互いに異ならせてもよい。
【００７０】
図５（Ｃ）に示すように、特定暖房運転時においては、第１制御弁ユニット４において差圧弁２５０が閉弁されて開閉弁５２が開弁される一方、第２制御弁ユニット６において流量制御弁３２の開度が制御される。すなわち、流量制御弁３２の小口径制御がなされ、その開度が調整されることで、蒸発器７および室外熱交換器５に向かう冷媒の流量の割合が調整される。このとき、室外熱交換器５は室外蒸発器として機能する。すなわち、圧縮機２から吐出された冷媒は、一方で室内凝縮器３、過冷却度制御弁２４２、蒸発器７、過熱度制御弁４８、アキュムレータ８を経由するように第１冷媒循環通路を循環して圧縮機２に戻り、他方で室内凝縮器３、流量制御弁３２、室外熱交換器５、開閉弁５２、過熱度制御弁５４、アキュムレータ８を経由するように第２冷媒循環通路を循環して圧縮機２に戻る。
【００７１】
すなわち、圧縮機２から吐出された高温・高圧のガス冷媒は、室内凝縮器３を経て凝縮される。そして、室内凝縮器３から導出された冷媒の一方は、流量制御弁３２にて断熱膨張されて冷温・低圧の気液二相冷媒となり、室外熱交換器５に供給されて蒸発する。また、室内凝縮器３から導出された冷媒の他方は、過冷却度制御弁２４２にて断熱膨張されて冷温・低圧の気液二相冷媒となり、蒸発器７に供給されて蒸発する。このとき、室外熱交換器５および蒸発器７の両蒸発器にて蒸発される比率が、流量制御弁３２の開度により制御される。それにより、蒸発器７での蒸発量を確保でき、除湿機能を確保することができる。一方、蒸発器７へ供給される冷媒流量は、過冷却度制御弁２４２により室内凝縮器３の出口側の過冷却度が設定値ＳＣとなるように調整される。
【００７２】
この特定暖房運転においては除湿運転が良好に行われるが、その除湿制御の概要については以下のとおりである。すなわち、図５（Ｃ）に示すように、過冷却度制御弁２４２により室内凝縮器３の出口における所定の過冷却度ＳＣが維持されることで（ｃ点）、室内凝縮器３における凝縮能力が適正に維持され、室外熱交換器５（室外蒸発器）および蒸発器７（室内蒸発器）のそれぞれにおいて効率の良い熱交換が行われる。このとき、アキュムレータ８によって圧縮機２の入口の冷媒の状態が常に飽和蒸気圧曲線上に保持されるため（ａ点）、蒸発器７の出口の冷媒の状態（ｇ点）は、過熱度制御弁５４の出口の冷媒の状態（ｈ点）とバランスするように変化する。
【００７３】
すなわち、図示のように過熱度制御弁５４の出口側にて過熱度が発生している場合、蒸発器７の出口における冷媒の湿り度（ｇ点）は、過熱度制御弁５４の出口における冷媒の過熱度（ｈ点）とバランスする。また、逆に、過熱度制御弁４８の出口側にて過熱度が発生する場合には、室外熱交換器５の出口における湿り度（（ｅ）点）が、過熱度制御弁４８の出口側の過熱度（（ｉ）点）とバランスするようになる。
【００７４】
また、除霜運転時においては、図５（Ｄ）に示すように差圧弁２５０を閉じる一方で開閉弁５２を開弁させ、流量制御弁３２を開弁させる。このとき、流量制御弁３２は大口径制御を実行する。その結果、圧縮機２から吐出された高温・高圧のガス冷媒（ホットガス）が、流量制御弁３２を通過して室外熱交換器５に供給される。このとき、室外熱交換器５の出口側の冷媒は過冷却しないため（ｅ点）、過冷却度制御弁４２は閉弁状態を維持する。このため、蒸発器７への冷媒の供給は遮断される。除霜運転が安定した状態においては図中実線にて示すように、室外熱交換器５から導出された冷媒は、アキュムレータ８に導入されることにより飽和蒸気線上に制御される（ｅ点）。一方、アキュムレータ８内の液冷媒が不足等により過熱度制御弁５４の出口側に過熱度が発生する場合には、図中点線にて示すように、過熱度制御弁５４がその過熱度が設定過熱度ＳＨに近づくよう冷媒の流れを制御する。
【００７５】
［第３実施形態］
次に、本発明の第３実施形態について説明する。なお、第１実施形態または第２実施形態とほぼ同様の構成部分については同一の符号を付す等して適宜その説明を省略する。図６は、第３実施形態に係る車両用冷暖房装置の概略構成を表すシステム構成図である。
【００７６】
本実施形態の車両用冷暖房装置３０１は、圧縮機２、室内凝縮器３、第１制御弁ユニット３０４、室外熱交換器５、第２制御弁ユニット３０６、蒸発器７およびアキュムレータ８を配管にて接続した冷凍サイクルを備える。そして、室内凝縮器３と室外熱交換器５とが凝縮器として直列に動作可能に構成され、蒸発器７と室外熱交換器５とが蒸発器として並列に動作可能に構成されている。すなわち、暖房運転時（除湿時）に冷媒が循環する第１冷媒循環通路、暖房運転時および除霜運転時に冷媒が循環する第２冷媒循環通路、冷房運転時に冷媒が循環する第３冷媒循環通路が形成される。
【００７７】
第１冷媒循環通路は、圧縮機２→室内凝縮器３→第２制御弁ユニット３０６→蒸発器７→第２制御弁ユニット３０６→アキュムレータ８→圧縮機２のように冷媒が循環する通路である。第２冷媒循環通路は、圧縮機２→室内凝縮器３→第２制御弁ユニット３０６→室外熱交換器５→第１制御弁ユニット３０４→アキュムレータ８→圧縮機２のように冷媒が循環する通路である。第３冷媒循環通路は、圧縮機２→室内凝縮器３→第１制御弁ユニット３０４→室外熱交換器５→第２制御弁ユニット３０６→蒸発器７→第２制御弁ユニット３０６→アキュムレータ８→圧縮機２のように冷媒が循環する通路である。
【００７８】
具体的には、第１制御弁ユニット３０４は、共用のボディに切替弁３５０および過熱度制御弁５４を含む。切替弁３５０は、第２通路２２を開閉する第１弁部と、バイパス通路２６を開閉する第２弁部と、各弁部を駆動するソレノイドとを備える三方向電磁弁からなる。第１弁部は、その開弁により室内凝縮器３から第２通路２２を介した室外熱交換器５への冷媒の流れを許容する。第２弁部は、その開弁により室外熱交換器５からバイパス通路２６を介したアキュムレータ８への冷媒の流れを許容する。本実施形態では、切替弁３５０として、ソレノイドへの通電有無によって第１弁部および第２弁部の一方を開弁させて他方を閉弁させる開閉弁（オン／オフ弁）が用いられる。なお、切替弁３５０を弁部を駆動するアクチュエータはソレノイドでなくてもよく、ステッピングモータ等の電動機であってもよい。
【００７９】
一方、第２制御弁ユニット３０６は、共用のボディに流量制御弁３２、過冷却度制御弁４２、過熱度制御弁４８および切替弁３３４を含む。切替弁３３４は、第１分岐通路２７と第３通路２３との合流点に設けられている。切替弁３３４は、第１分岐通路２７を開閉する第１弁部と第３通路２３を開閉する第２弁部とのいずれか一方を開弁させて流路を切り替え可能な機械式の三方弁からなる。第１弁部は、その開弁により室内凝縮器３からバイパス通路２５および第１分岐通路２７を介した蒸発器７への冷媒の流れを許容する。第２弁部は、その開弁により室外熱交換器５から第３通路２３を介した蒸発器７への冷媒の流れを許容する。なお、切替弁３５０の具体的構成については後述する。
【００８０】
図７は、切替弁の具体的構成を表す断面図である。（Ａ）〜（Ｃ）は、切替弁の動作を例示するものである。  
切替弁３３４は、第１弁部３１１および第２弁部３１２を含む三方弁であり、ボディ３１４に共用弁体３１５を収容するようにして構成されている。ボディ３１４は、第１ボディ３１６の一方の側部に段付円筒状の第２ボディ３１８を圧入して構成される。第１ボディ３１６と第２ボディ３１８との間には、シール用のＯリング３１９が介装されている。ボディ３１４の一方の側部には第１分岐通路２７に連通するポート３３１が設けられ、その反対側の側部には第３通路２３の上流側に連通するポート３３２が設けられている。ボディ３１４の他の側部には、第３通路２３の下流側に連通するポート３３３が設けられている。ポート３３１とポート３３２とは同軸状に連通する。一方、ポート３３３は、ポート３３１とポート３３２とをつなぐ通路に対して直交するように連通する。
【００８１】
ボディ３１４内におけるポート３３１の近傍に弁孔３２０が設けられ、その内方の開口端部に弁座３２２が設けられている。また、ボディ３１４内におけるポート３３２の近傍に弁孔３２４が設けられ、その内方の開口端部に弁座３２６が設けられている。弁孔３２０と弁孔３２４とはその中心軸に同軸状に設けられている。
【００８２】
共用弁体３１５は、段付円柱状の本体を有し、その一端部が弁孔３２０に挿抜可能に構成され、他端部が弁孔３２４に挿抜可能に構成されている。共用弁体３１５の一端部は、その外径が弁孔３２０の内径とほぼ等しくなっており、その先端には弁孔３２０に摺動しつつ支持される複数の脚部（同図にはその１つのみ表示）が延設されている。また、共用弁体３１５の他端部は、その外径が弁孔３２４の内径とほぼ等しくなっており、その先端には弁孔３２４に摺動しつつ支持される複数の脚部（同図にはその１つのみ表示）が延設されている。
【００８３】
共用弁体３１５には、その長手方向中央部に半径方向外向きに延出するフランジ部３２８が形成され、その一方の側に第１弁部材３３６が嵌着され、他方の側に第２弁部材３３８が嵌着されている。第１弁部材３３６は、環状の弾性体（本実施形態ではゴム）からなり、弁座３２２に着座して第１弁部３１１を気密に閉弁する。第２弁部材３３８は、環状の弾性体（本実施形態ではゴム）からなり、弁座３２６に着座して第２弁部３１２を気密に閉弁する。すなわち、共用弁体３１５は、その一端部が弁孔３２０に挿抜されることにより第１弁部３１１を開閉するが、弁孔３２０に挿通されても微少なクリアランスからの冷媒の漏洩を許容する。そして、第１弁部材３３６が弁座３２２に着座したときに完全なシール状態を実現する。同様に、共用弁体３１５は、その他端部が弁孔３２４に挿抜されることにより第２弁部３１２を開閉するが、弁孔３２４に挿通されても微少なクリアランスからの冷媒の漏洩を許容する。そして、第２弁部材３３８が弁座３２６に着座したときに完全なシール状態を実現する。
【００８４】
第１弁部３１１の開弁によりポート３３１とポート３３３とが連通し、第２弁部３１２の開弁によりポート３３２とポート３３３とが連通する。第１ボディ３１６とフランジ部３２８との間には、共用弁体３１５を第１弁部３１１の閉弁方向（第２弁部３１２の開弁方向）に付勢するスプリング３２９が介装されている。
【００８５】
本実施形態では、弁孔３２０と弁孔３２４の有効径が等しく構成されているため、共用弁体３１５に作用する下流側圧力Ｐ３の影響はキャンセルされる。共用弁体３１５は、その前後差圧、つまり上流側圧力Ｐ１と中間圧力Ｐ２との差圧（Ｐ１−Ｐ２）が設定差圧ΔＰset以上であれば、図７（Ａ）に示すように、第１弁部３１１を開弁させ第２弁部３１２を閉弁させる状態を維持する。前後差圧（Ｐ１−Ｐ２）が設定差圧ΔＰsetより小さくなると、図７（Ｂ）および（Ｃ）に示すように、共用弁体３１５がスプリング３２９の付勢力によって図の右方へ動作し、第１弁部３１１を閉弁させ第２弁部３１２を開弁させる。設定差圧ΔＰsetは、スプリング３２９の荷重調整により設定される。特に図７（Ｂ）に示すように、切替弁３３４は、完全なシールがなされるわけではないものの、第１弁部３１１と第２弁部３１２とが同時に閉弁する状態がある構成となっている。
【００８６】
次に、本実施形態の冷凍サイクルの動作について説明する。図８は、車両用冷暖房装置の動作を表す説明図である。（Ａ）は冷房運転時の状態を示し、（Ｂ）は特定暖房運転時の状態を示し、（Ｄ）は除霜運転時の状態を示している。各図の上段には冷凍サイクルの動作を説明するモリエル線図が示されている。その横軸がエンタルピーを表し、縦軸が各種圧力を表している。
【００８７】
図８（Ａ）に示すように、冷房運転時においては、第１制御弁ユニット３０４において切替弁３５０の第１弁部が開弁され、第２弁部が閉弁される。一方、第２制御弁ユニット３０６においては流量制御弁３２が閉弁状態とされる。このとき、切替弁３３４は、その前後差圧（Ｐ１−Ｐ２）が設定差圧ΔＰsetより小さくなるため、第１弁部３１１が閉弁状態（第２弁部３１２は開弁状態）となり、室内凝縮器３から導出された冷媒は室外熱交換器５に導かれるようになる。このとき、室外熱交換器５は室外凝縮器として機能する。すなわち、圧縮機２から吐出された冷媒は、室内凝縮器３、切替弁３５０、室外熱交換器５、過冷却度制御弁４２、蒸発器７、過熱度制御弁４８、アキュムレータ８を経由するように第３冷媒循環通路を循環して圧縮機２に戻る。
【００８８】
すなわち、圧縮機２から吐出された高温・高圧のガス冷媒は、室内凝縮器３および室外熱交換器５を経ることで凝縮される。そして、室外熱交換器５を経由した冷媒が切替弁３３４の第２弁部３１２を通過して過冷却度制御弁４２にて断熱膨張され、冷温・低圧の気液二相冷媒となって蒸発器７に導入される。このとき、過冷却度制御弁４２は、室外熱交換器５の出口側（ｅ点）の過冷却度が設定値ＳＣとなるように弁部の開度を自律的に調整する。蒸発器７の入口に導入された冷媒は、その蒸発器７を通過する過程で蒸発し、車室内の空気を冷却する。
【００８９】
図８（Ｂ）に示すように、特定暖房運転時においては、第１制御弁ユニット３０４において切替弁３５０の第２弁部が開弁されてバイパス通路２６が開放される一方、第２制御弁ユニット３０６において流量制御弁３２の開度が制御される。このとき、切替弁３３４は、その前後差圧（Ｐ１−Ｐ２）が設定差圧ΔＰsetより大きくなるために第１弁部３１１が開弁状態（第２弁部３１２は閉弁状態）となり、室内凝縮器３から導出された冷媒の一部が蒸発器７に導かれるようになる。すなわち、流量制御弁３２の小口径制御がなされ、その開度が調整されることで、蒸発器７および室外熱交換器５に向かう冷媒の流量の割合が調整される。このとき、室外熱交換器５は室外蒸発器として機能する。すなわち、圧縮機２から吐出された冷媒は、一方で室内凝縮器３、切替弁３３４の第１弁部３１１、過冷却度制御弁４２、蒸発器７、過熱度制御弁４８、アキュムレータ８を経由するように第１冷媒循環通路を循環して圧縮機２に戻り、他方で室内凝縮器３、流量制御弁３２、室外熱交換器５、切替弁３５０、過熱度制御弁５４、アキュムレータ８を経由するように第２冷媒循環通路を循環して圧縮機２に戻る。
【００９０】
すなわち、圧縮機２から吐出された高温・高圧のガス冷媒は、室内凝縮器３を経て凝縮される。そして、室内凝縮器３から導出された冷媒の一方は、流量制御弁３２にて断熱膨張されて冷温・低圧の気液二相冷媒となり、室外熱交換器５に供給されて蒸発する。また、室内凝縮器３から導出された冷媒の他方は、過冷却度制御弁４２にて断熱膨張されて冷温・低圧の気液二相冷媒となり、蒸発器７に供給されて蒸発する。このとき、室外熱交換器５および蒸発器７の両蒸発器にて蒸発される比率が、流量制御弁３２の開度により制御される。それにより、蒸発器７での蒸発量を確保でき、除湿機能を確保することができる。一方、蒸発器７へ供給される冷媒流量は、過冷却度制御弁４２により室内凝縮器３の出口側の過冷却度が設定値ＳＣとなるように調整される。
【００９１】
この特定暖房運転においては除湿運転が良好に行われるが、その除湿制御の概要については以下のとおりである。すなわち、図８（Ｂ）に示すように、過冷却度制御弁４２により室内凝縮器３の出口における所定の過冷却度ＳＣが維持されることで（ｃ点）、室内凝縮器３における凝縮能力が適正に維持され、室外熱交換器５（室外蒸発器）および蒸発器７（室内蒸発器）のそれぞれにおいて効率の良い熱交換が行われる。このとき、アキュムレータ８によって圧縮機２の入口の冷媒の状態が常に飽和蒸気圧曲線上に保持されるため（ａ点）、蒸発器７の出口の冷媒の状態（ｇ点）は、過熱度制御弁５４の出口の冷媒の状態（ｈ点）とバランスするように変化する。
【００９２】
すなわち、図示のように過熱度制御弁５４の出口側にて過熱度が発生している場合、蒸発器７の出口における冷媒の湿り度（ｇ点）は、過熱度制御弁５４の出口における冷媒の過熱度（ｈ点）とバランスする。また、逆に、過熱度制御弁４８の出口側にて過熱度が発生する場合には、室外熱交換器５の出口における湿り度（（ｅ）点）が、過熱度制御弁４８の出口側の過熱度（（ｉ）点）とバランスするようになる。
【００９３】
また、除霜運転時においては、図８（Ｃ）に示すように、第１制御弁ユニット３０４において切替弁３５０の第２弁部が開弁されてバイパス通路２６が開放される一方、第２制御弁ユニット３０６において流量制御弁３２が開弁される。このとき、流量制御弁３２は大口径制御を実行する。その結果、圧縮機２から吐出された高温・高圧のガス冷媒（ホットガス）が、流量制御弁３２を通過して室外熱交換器５に供給される。除霜運転が安定した状態においては図中実線にて示すように、室外熱交換器５から導出された冷媒は、アキュムレータ８に導入されることにより飽和蒸気線上に制御される（ｅ点）。一方、アキュムレータ８内の液冷媒が不足等により過熱度制御弁５４の出口側に過熱度が発生する場合には、図中点線にて示すように、過熱度制御弁５４がその過熱度が設定過熱度ＳＨに近づくよう冷媒の流れを制御する。
【００９４】
以上、本発明の好適な実施形態について説明したが、本発明はその特定の実施形態に限定されるものではなく、本発明の技術思想の範囲内で種々の変形が可能であることはいうまでもない。
【００９５】
上記実施形態では、本発明の車両用冷暖房装置を電気自動車に適用した例を示したが、内燃機関を搭載した自動車や、内燃機関と電動機を同載したハイブリッド式の自動車に提供することが可能であることは言うまでもない。上記実施形態では、圧縮機２として電動圧縮機を採用した例を示したが、エンジンの回転を利用して容量可変を行う可変容量圧縮機を採用することもできる。
【００９６】
上記実施形態においては、補助凝縮器として室内凝縮器を設ける例を示した。変形例においては、補助凝縮器を室外熱交換器とは別に設けられる熱交換器として構成してもよい。その熱交換器は、例えば車室外に配置され、エンジンの冷却水を利用して熱交換を行うものでもよい。具体的には、例えば図１における圧縮機２と流量制御弁３２との間に熱交換器を設ける一方、ダクト１０内に放熱器を配置し、これら熱交換器と放熱器とを冷却水の循環回路にて接続してもよい。その循環回路には冷却水を汲み上げるポンプを設けてもよい。このようにすれば、圧縮機２から流量制御弁３２へ向かう高温の冷媒と、循環回路を循環する冷却水との間で熱交換を行うことができる。このような構成においても、圧縮機２から吐出された冷媒を熱交換器により凝縮させて流量制御弁３２に供給することが可能となる。
【００９７】
上記第３実施形態においては、図７に切替弁３３４の具体的構成例を示した。変形例においては、切替弁としてこれと異なる構成を採用してもよい。図９は、変形例に係る切替弁の具体的構成を表す断面図である。なお、本変形例において図７に示した第３実施形態とほぼ同様の構成部分については同一の符号を付し、その説明を省略する。
【００９８】
本変形例の切替弁４３４は、図７に示した切替弁３３４と比較して、共用弁体４１５の軸線方向の長さが短くなっている。これにより、第１弁部３１１と第２弁部３１２とがともに開弁する中間状態を形成することが可能となる。つまり、切替弁４３４は、第１弁部３１１と第２弁部３１２とが同時に閉弁する状態がない構成となっている。
【符号の説明】
【００９９】
１  車両用冷暖房装置、  ２  圧縮機、  ３  凝縮器、  ４  第１制御弁ユニット、  ５  室外熱交換器、  ６  第２制御弁ユニット、  ７  蒸発器、  ８  アキュムレータ、  ２５，２６  バイパス通路、  ２７  第１分岐通路、  ２８  第２分岐通路、  ３２  流量制御弁、  ４２  過冷却度制御弁、  ４４  差圧弁、  ４６  逆止弁、  ４８  過熱度制御弁、  ５０，５２  開閉弁、  ５４  過熱度制御弁、  １００  制御部、  ２０１  車両用冷暖房装置、  ２４２  過冷却度制御弁、  ２５０  差圧弁、  ３０１  車両用冷暖房装置、  ３０４  第１制御弁ユニット、  ３０６  第２制御弁ユニット、  ３１１  第１弁部、  ３１２  第２弁部、  ３１４  ボディ、  ３１５  共用弁体、  ３２０  弁孔、  ３２２  弁座、  ３２４  弁孔、  ３２６  弁座、  ３３４  切替弁、  ３３６  第１弁部材、  ３３８  第２弁部材、  ３５０  切替弁。
【図１】
2012051522.tif 000003
【図２】
2012051522.tif 000004
【図３】
2012051522.tif 000005
【図４】
2012051522.tif 000006
【図５】
2012051522.tif 000007
【図６】
2012051522.tif 000008
【図７】
2012051522.tif 000009
【図８】
2012051522.tif 000010
【図９】
2012051522.tif 000011